(57)【要約】【課題】プリズムの光射出面をレンズカット面としたものにあって、スポット照射光の光ムラを抑制できる照明装置を提供する。【解決手段】発光ダイオードからの光を入射し、入射した光を導光して光射出面１２ａより射出するロアープリズム１１と、ロアープリズム１１から射出された光を光入射面２１ａより入射し、入射した光を導光して光射出面２２ａより射出するアッパープリズム２０とを備え、アッパープリズム２０の光射出面２２ａがレンズカット面に形成されており、ロアープリズム１１の光射出面１２ａとアッパープリズム２０の光入射面２１ａの少なくともいずれか一方が光拡散面に形成されている。【選択図】図３
2020042963.tif 000002
【特許請求の範囲】
【請求項１】
光源からの光を入射し、入射した光を導光して光射出面より射出する第１プリズム分割体と、
前記第１プリズム分割体から射出された光を光入射面より入射し、入射した光を導光して光射出面より射出する第２プリズム分割体とを備え、
前記第２プリズム分割体の前記光射出面がレンズカット面に形成されており、
前記第１プリズム分割体の前記光射出面と前記第２プリズム分割体の前記光入射面の少なくともいずれか一方が光拡散面に形成されていることを特徴とする照明装置。
【請求項２】
請求項１記載の照明装置であって、
前記第１プリズム分割体の前記光射出面と前記第２プリズム分割体の前記光入射面の間には、隙間が形成されていることを特徴とする照明装置。
【請求項３】
光源からの光を入射し、入射した光を導光して光射出面より射出する第１プリズム分割体と、
前記第１プリズム分割体に組み付けされ、前記第１プリズム分割体から射出された光を光入射面より入射し、入射した光を導光して光射出面より射出する第２プリズム分割体とを備え、
前記第２プリズム分割体の前記光射出面がレンズカット面に形成されており、
前記第１プリズム分割体の前記光射出面と前記第２プリズム分割体の前記光入射面の少なくともいずれか一方が光拡散面に形成されていることを特徴とするプリズム。
【発明の詳細な説明】
【技術分野】
【０００１】
車室内を照らすのに好適な照明装置、及び、これに適用可能なプリズムに関する。
【背景技術】
【０００２】
例えば自動車の車室内には種々の照明装置が設置される（特許文献１、２参照）。このような照明装置の一従来例として図６及び図７に示すものがある。
【０００３】
この照明装置５０は、図６及び図７に示すように、天井に配置されるベゼル５１と、ベゼル５１に組付けされたカバー５３と、カバー５３内に配置された基板５５と、基板５５に実装された光源である３個の発光ダイオード（ＬＥＤ）５６と、カバー５３内に配置された３個のプリズム５７と、２つのスイッチＳＷとを備えている。
【０００４】
各プリズム５７の光入射面は、各発光ダイオード５６に対向配置されている。プリズム５７の光射出面５７ｂは、ベゼル５１の開口５１ａに臨むように配置されている。
【０００５】
プリズム５７に入射した光は、プリズム５７内を直進し、又、プリズム５７の外周面５７ａで反射してプリズム５７内を進んで、光射出面５７ｂから外部に射出される。
【０００６】
ところで、図８に示すように、プリズム５７の意匠面である光射出面５７ｂを見栄え向上等のためにレンズカット面にしたいという要請がある。
【先行技術文献】
【特許文献】
【０００７】
【特許文献１】特開２００５−２８０６５７号公報
【特許文献２】特開２０１４−１５７６８９号公報
【発明の概要】
【発明が解決しようとする課題】
【０００８】
しかしながら、プリズム５７の光射出面５７ｂをレンズカット面とすると、光射出面５７ｂで光が散乱するため、スポット照射光に光ムラが発生する（図９（ｂ）参照）という問題が発生する。
【０００９】
そこで、本発明は、前記した課題を解決すべくなされたものであり、プリズムの光射出面をレンズカット面としたものにあって、スポット照射光の光ムラを抑制できる照明装置、及び、これに適用可能なプリズムを提供することを目的とする。
【課題を解決するための手段】
【００１０】
本発明の照明装置は、光源からの光を入射し、入射した光を導光して光射出面より射出する第１プリズム分割体と、前記第１プリズム分割体から射出された光を光入射面より入射し、入射した光を導光して光射出面より射出する第２プリズム分割体とを備え、前記第２プリズム分割体の前記光射出面がレンズカット面に形成されており、前記第１プリズム分割体の前記光射出面と前記第２プリズム分割体の前記光入射面の少なくともいずれか一方が光拡散面に形成されていることを特徴とする。
【００１１】
本発明のプリズムは、光源からの光を入射し、入射した光を導光して光射出面より射出する第１プリズム分割体と、前記第１プリズム分割体に組み付けされ、前記第１プリズム分割体から射出された光を光入射面より入射し、入射した光を導光して光射出面より射出する第２プリズム分割体とを備え、前記第２プリズム分割体の前記光射出面がレンズカット面に形成されており、前記第１プリズム分割体の前記光射出面と前記第２プリズム分割体の前記光入射面の少なくともいずれか一方が光拡散面に形成されていることを特徴とする。
【発明の効果】
【００１２】
本発明によれば、光源からの光が光拡散面を通過する際に拡散され、拡散された光がプリズムのレンズカット面で更に拡散して射出されるため、スポット照射光の光ムラが抑制される。
【図面の簡単な説明】
【００１３】
【図１】本発明の一実施形態を示し、車室内から天井側を見た場合の照明装置の斜視図である。
【図２】本発明の一実施形態を示し、照明装置の分解斜視図である。
【図３】本発明の一実施形態を示し、（ａ）は第１プリズム分割体と第２プリズム分割体の合体前の斜視図、（ｂ）は第１プリズム分割体と第２プリズム分割体が合体されて構成されたプリズムの斜視図である。
【図４】本発明の一実施形態を示し、（ａ）は図３（ａ）とは反対側から見た、第１プリズム分割体と第２プリズム分割体の合体前の斜視図、（ｂ）は図３（ｂ）とは反対側から見た、第１プリズム分割体と第２プリズム分割体が合体されて構成されたプリズムの斜視図である。
【図５】本発明の一実施形態を示し、図１のＡ−Ａ線断面図である。
【図６】従来例を示し、照明装置の斜視図である。
【図７】従来例を示し、図６のＧ−Ｇ線断面図である。
【図８】従来例のプリズムにレンズカットを施したプリズムの斜視図である。
【図９】（ａ）は本発明の実施形態に係るプリズムを使用した場合のスポット照射光を示す図、（ｂ）は従来例のプリズムに対し、その光射出面をレンズカット面とした場合のスポット照射光を示す図である。
【発明を実施するための形態】
【００１４】
以下、本発明の一実施形態を図面に基づいて説明する。
【００１５】
本発明の一実施形態を、図１〜図５を参照図面として説明する。
【００１６】
照明装置１は、車室の後席の天井（図示せず）に設置される。照明装置１は、２つの異なる領域にスポット照射光をそれぞれ照射させる。
【００１７】
照明装置１は、ベゼル２と、ベゼル２に組み付けされたカバー３と、カバー３内に配置された基板５と、基板５に実装された光源である２個の発光ダイオード（ＬＥＤ）Ｄと、カバー３内に配置された２個のプリズム１０とを備えている。
【００１８】
ベゼル２は、光を遮蔽する部材より形成されている。ベゼル２は、車室の天井に取り付される。ベゼル２には、３つの開口２ａが形成されている。この左右の２つ開口２ａより各プリズム１０の光射出面２２ａが臨むように配置されている。中央の開口２ａには、２つのスイッチノブ７が臨むように配置される。各スイッチノブ７の押下によって基板５に搭載された各スイッチＳＷを操作する。
【００１９】
カバー３は、光を遮蔽する部材より形成されている。カバー３は、べゼル２の天井面側に配置されている。照明装置１は、カバー３がフック部材６等を介して天井に係止されることによって固定される。
【００２０】
各プリズム１０は、図３及び図４に詳しく示すように、第１プリズム分割体であるロアープリズム１１と、第２プリズム分割体であるアッパープリズム２０とを備えている。
【００２１】
ロアープリズム１１は、ベースプレート部１２と、ベースプレート部１２の下面より延設されたほぼ円錐台状の導光部１３と、ベースプレート部１２の両側より垂下された一対の脚部１４とを有する。ベースプレート部１２の上面が光射出面１２ａに形成されている。光射出面１２ａの有効光エリアＥが光拡散面に形成されている。光拡散面は、例えばシボ加工によって形成する。ベースプレート部１２の有効光エリアＥの外側位置には、複数の係止孔１５が形成されている。
【００２２】
導光部１３は、その下端面が光入射面１３ａに形成されている。光入射面１３ａは、発光ダイオードＤに対向配置されている。発光ダイオードＤからの照射光は、導光部１３の光入射面１３ａよりロアープリズム１１内に入射する。
【００２３】
各脚部１４の先端には、基板５に位置決めする位置決めリブ１６が突設されている。
【００２４】
アッパープリズム２０は、ベースプレート部２１と、ベースプレート部２１の上面に一体に設けられた円柱状の導光部２２とを有する。ベースプレート部２１の下面が光入射面２１ａに形成されている。ベースプレート部２１の端部には、複数の係止アーム２３が設けられている。導光部２２の側周面には、ベゼル２との位置決めを行う位置決めリブ２４が設けられている。導光部２２の頂面が光射出面２２ａに形成されている。光射出面２２ａは、レンズカット面に形成されている。
【００２５】
各プリズム１０は、ロアープリズム１１の各係止孔１５にアッパープリズム２０の各係止アーム２３を係止することによって組み付けされている。各プリズム１０は、ロアープリズム１１のベースプレート部１２の上面（光射出面１２ａ）とアッパープリズム２０のベースプレート部２１の下面（光入射面２１ａ）との間には、隙間（空間）ｄが形成された状態で組み付けされる（図５参照）。
【００２６】
上記構成において、発光ダイオードＤから射出された光は、ロアープリズム１１の導光部１３の光入射面１３ａからロアープリズム１１に入射する。ロアープリズム１１に入射した光は、導光部１３で導かれてベースプレート部１２の上面である光射出面１２ａより一旦外部に射出される。光射出面１２ａは、光拡散面に形成されているため、拡散された光が射出される。この射出された光は、アッパープリズム２０のベースプレート部２１の光入射面２１ａよりアッパープリズム２０に入射し、円柱状の導光部２２の上面である光射出面２２ａより射出される。光射出面２２ａはレンズカット面であるため、ここでも光が拡散されて射出される。この射出光によりスポット照射光を得る。
【００２７】
以上説明したように、プリズム１０は、発光ダイオードＤからの光を入射し、入射した光を導光して光射出面１２ａより射出するロアープリズム１１と、ロアープリズム１１に組み付けされ、ロアープリズム１１から射出された光を光入射面２１ａより入射し、入射した光を導光して光射出面２２ａより射出するアッパープリズム２０とを備え、アッパープリズム２０の光射出面２２ａがレンズカット面に形成されており、ロアープリズム１１の光射出面１２ａが光拡散面に形成されている。
【００２８】
このような構成されたプリズム１０、及び、このプリズム１０を用いた照明装置１では、発光ダイオードＤからの光は、ロアープリズム１１の光射出面１２ａである光拡散面を通過する際に拡散され、拡散された光がアッパープリズム２０の光射出面２２ａであるレンズカット面で更に拡散して射出されるため、スポット照射光の光ムラが抑制される。
【００２９】
ロアープリズム１１の光射出面１２ａとアッパープリズム２０の光入射面２１ａの間には、隙間（空間）ｄが形成されている。従って、発光ダイオードＤからの射出光は、ロアープリズム１１の光射出面１２ａからアッパープリズム２０の光入射面２１ａに再入射する際に、全ての光が確実に空間（プリズム１０とは屈折率が異なる領域）を通るために、全ての光が確実に拡散される。これによって、スポット照射光の光ムラが確実に抑制できる（図９（ａ）参照）。従来例のプリズム５７に対し、その光射出面をレンズカット面とした場合のスポット照射光（図９（ｂ）に示す）に比べて、スポット照射光の光ムラが抑制されたことが確認できた。
【００３０】
この実施形態では、ロアープリズム１１の光射出面１２ａが光拡散面に形成されているが、アッパープリズム２０の光入射面２１ａを光拡散面に形成しても良く、ロアープリズム１１の光射出面１２ａとアッパープリズム２０の光入射面２１ａの双方を光拡散面に形成しても良い。
【００３１】
この実施形態では、ロアープリズム１１は、基板５に位置決めする位置決めリブ１６を有する。従って、プリズム１０を基板５に精度良く、且つ、容易に位置決めできる。
【００３２】
この実施形態では、アッパープリズム２０は、ベゼル２との位置決めを行う位置決めリブ２４を有する。従って、プリズム１０をベゼル２に精度良く、且つ、容易に位置決めできる。
【符号の説明】
【００３３】
１  照明装置
１０  プリズム
１１  ロアープリズム（第１プリズム分割体）
１２ａ  光射出面
２０  アッパープリズム（第２プリズム分割体）
２１ａ  光入射面
２２ａ  光射出面
Ｄ  発光ダイオード（光源）
【図１】
2020042963.tif 000003
【図２】
2020042963.tif 000004
【図３】
2020042963.tif 000005
【図４】
2020042963.tif 000006
【図５】
2020042963.tif 000007
【図６】
2020042963.tif 000008
【図７】
2020042963.tif 000009
【図８】
2020042963.tif 000010
【図９】
2020042963.tif 000011